(57)【要約】【課題】歯科治療椅子に座った感触を保ちつつ、容易に希望のシートの色に変更でき、洗濯を行うことにより何度でも使用できる、取り外しの容易な歯科治療椅子カバーを提供することにある。【解決手段】歯科治療椅子カバー１は、歯科治療椅子のシート部の形状に沿って、歯科治療椅子のシート部の表面、側面及び裏面の一部を被い、歯科治療椅子カバー１の縁が筒状に縫い合わされた周縁部３の筒に通された紐により、歯科治療椅子のシート部の裏面で歯科治療椅子に脱着自在に固定される。カバー１として、歯科治療椅子のシート（上張り）と同じ材質の布で、好みの色のものを用いる。【選択図】        図１
2004283242.tif 000002
【特許請求の範囲】
【請求項１】
歯科治療椅子のシート部の表面及び側面を被い、該シート部の裏側で該シートに固定するようにした歯科治療椅子カバーであって、該歯科治療椅子カバーは該歯科治療椅子のシート部と同じ材質の布地であって、該歯科治療椅子のシート部の表面、側面及び裏面の一部を覆い、その縁が筒状又はループ状に縫い合わされた周縁部を有し、該周縁部の筒又はループに通された紐又は伸縮紐により、歯科治療椅子に着脱自在に装着されることを特徴とする歯科治療椅子カバー。
【発明の詳細な説明】
【０００１】
【発明の属する技術分野】
本発明は、歯科治療椅子カバーに関し、より詳細には、容易に治療椅子のシートの色を変更でき、清掃が簡便で、洗濯を行うことにより何度でも使用できる、取り外しの容易な歯科治療椅子カバーに関する。
【０００２】
【従来の技術】
図５は、本発明が適用される歯科治療椅子の一例を説明するための要部構成図で、図中、１０は歯科治療椅子で、該治療椅子１０は、安頭台１１、バックレスト１２、コンターシート１３、レッグレスト１４、フットレスト１５等から成り、周知のように、歯科治療にあたり、患者は治療椅子１０に座り、頭を安頭台１１に固定して治療を受ける。治療中、術者は治療椅子１０を上下動、倒起動、傾斜動等させて、患者を治療しやすい姿勢にして治療を行う。
【０００３】
【発明が解決しようとする課題】
しかし、従来の歯科治療椅子においては、シートの色を変更するには、治療椅子のシートを希望のカラーシートに張り替えるか、治療椅子自体を交換する必要がある。
また、歯科治療椅子のシート面の清掃は、一般的に、アルコールによるふき取りが行われているが、シート面の面積が広いので、あまり満足に行われていない。
【０００４】
歯科治療椅子を被うカバーとして、従来、使い捨てのカバーがあるが、この使い捨てのカバーは、一度使った後に破棄することを前提に作られているため、ゴミとなる量がかさみ、経費もかさむ。更には、色の種類も少なく、座った時の感触も、カバーを使用しない時の感触と比較して異なっている。また、切削用刃物等でシート表面に傷・穴をつくってしまうこともある。
【０００５】
本発明は、上述のごとき実情に鑑みてなされたもので、歯科治療椅子に座った感触を保ちつつ、かつ容易に歯科治療椅子のシートの色を変更でき、清掃が簡便で、洗濯を行うことにより何度でも使用できる、取り外しの容易な歯科治療椅子カバーを提供することにある。
【０００６】
【課題を解決するための手段】
本発明は、歯科治療椅子のシート部の表面及び側面を被い、該シート部の裏側で該シートに固定するようにした歯科治療椅子カバーであって、該歯科治療椅子カバーは該歯科治療椅子のシート部と同じ材質の布地であって、該歯科治療椅子のシート部の表面、側面及び裏面の一部を覆い、その縁が筒状又はループ状に縫い合わされた周縁部を有し、該周縁部の筒又はループに通された紐又は伸縮紐により、歯科治療椅子に着脱自在に装着されることを特徴としたものである。
【０００７】
【発明の実施の形態】
図１は、本発明の歯科治療椅子カバーの一実施例を示す斜視図で、図２は、その概略断面図（布製であるから、実際には、図示のように、固定した形状をしているものではない）である。歯科治療椅子カバー１は、該歯科治療椅子１０のシート（上張り）部と同じ材質の布から成り、歯科治療椅子のシート部の形状に沿って、歯科治療椅子のシート部の表面を被い、シート部の側面と同じ形及び幅を有する側面部２で、シート部の側面を被って、歯科治療椅子のシート部を包み、さらに該治療椅子の裏面の一部を被うように構成されている。歯科治療椅子カバー１は、歯科治療椅子カバー１の縁が筒状に縫い合わされた周縁部３の筒に通された紐４により、歯科治療椅子のシート部の裏面で歯科治療椅子に脱着自在に固定される。この歯科治療椅子カバー１は、歯科治療椅子のシート部と同じ材質の布地なので、歯科治療椅子カバー１を使用した歯科治療椅子に座った感触は、カバーを使用しない時の感触と変わらない。
尚、該カバー１の該周縁部３の筒に通された該紐４は、伸縮紐、ゴム紐或いは針金等を用いることができる。
また、該歯科治療椅子カバー１の縁を筒状に縫い合わせて周縁部３とする替わりに、該カバー１の縁をループ状に縫い合わせて周縁部３とし、該周縁部のループに通した紐４で、歯科治療椅子に脱着自在に固定することもできる。
【０００８】
図３は、本発明の歯科治療椅子カバーの一使用状態を示す斜視図で、歯科治療椅子カバー１ａ、１ｂ及び１ｃは、歯科治療椅子１０のバックレスト１２、コンターシート１３及びレッグレスト１４それぞれの表面、側面及び裏面の一部を包み込みこむように被い、周縁部３ａ、３ｂ及び３ｃの筒に通された紐４により、該バックレスト１２、該コンターシート１３或いは該レッグレスト１４の裏面で、該バックレスト１２、該コンターシート１３或いは該レッグレスト１４に着脱自在に固定される。本発明は、図示例に限定されるものではなく、これらのうちの任意の１つ又は２つを使用するようにしてもよい。
【０００９】
また、図４は、本発明の歯科治療椅子カバーのさらなる使用状態を示す斜視図で、歯科治療椅子カバー１は、歯科治療椅子１０のバックレスト１２、コンターシート１３及びレッグレスト１４全体の表面、側面及び裏面の一部を被い、シート部の裏面で、バックレスト１２、コンターシート１３及びレッグレスト１４に脱着自在に固定されている。
【００１０】
【発明の効果】
以上の説明から明らかなように、本発明によると、歯科治療椅子カバーは、歯科治療椅子のシートと同じ材質の布地であって、容易に歯科治療椅子に着脱できるので、治療椅子のシートを希望のカラーシートに張り替えたり、治療椅子自体を交換することなく、歯科治療椅子カバーを交換するだけで、容易にシートの色を希望の色に変えることができる。
【００１１】
また、歯科治療椅子カバーは取り外しが容易なので、取り外して洗濯を行うことにより、常に治療椅子を清潔に保つ事ができる。更には、繰り返し使うことができるので経済的であり、使い捨てカバーとは異なり、ゴミを増やすこともない。
【図面の簡単な説明】
【図１】本発明の歯科治療椅子カバーの一実施例を示す斜視図である。
【図２】本発明の歯科治療椅子カバーの一実施例を示す概略断面図である。
【図３】本発明の歯科治療椅子カバーの一使用状態を示す斜視図である。
【図４】本発明の歯科治療椅子カバーのさらなる使用状態を示す斜視図である。
【図５】本発明が適用される歯科治療椅子の一例を説明するための要部構成図である。
【符号の説明】
１…歯科治療椅子カバー、２…側面部、３…周縁部、４…紐又は伸縮紐、１０…歯科治療椅子、１１…安頭台、１２…バックレスト、１３…コンターシート、１４…レッグレスト、１５…フットレスト。
【図１】
2004283242.tif 000003
【図２】
2004283242.tif 000004
【図３】
2004283242.tif 000005
【図４】
2004283242.tif 000006
【図５】
2004283242.tif 000007